(57)【要約】【課題】可変コード型シリンダ錠において、特定の鍵と回動部材との係合部分の摩耗などにより、特定の鍵によって回動部材が回転しなくなる可能性がある。【解決手段】シリンダ錠は、鍵穴を有する内筒と、内筒の正面側に配置される回転盤と、内筒および回転盤を回転可能に収容し、回転盤の一部を目視可能に露出する表示窓を有する外筒とを備える。回転盤は、鍵穴に挿入された共通鍵との間の磁力によって共通鍵と引き付け合い、内筒および回転盤は、共通鍵によって回転される。【選択図】図３Ａ
2015140557.tif 000002
【特許請求の範囲】
【請求項１】
鍵穴を有する内筒と、
前記内筒の正面側に配置される回転盤と、
前記内筒および前記回転盤を回転可能に収容し、前記回転盤の一部を目視可能に露出する表示窓を有する外筒と
を備え、
前記回転盤は、前記鍵穴に挿入された共通鍵との間の磁力によって前記共通鍵と引き付け合い、前記内筒および前記回転盤は、前記共通鍵によって回転される、シリンダ錠。
【請求項２】
前記回転盤は、前記共通鍵が前記鍵穴に挿入されていない状態で、前記外筒内の第１の位置で支持されており、前記共通鍵が前記鍵穴に挿入されると、前記共通鍵との間の磁力によって前記第１の位置より前記共通鍵に近い第２の位置に移動する、請求項１に記載のシリンダ錠。
【請求項３】
前記内筒および前記外筒は、前記回転盤または前記共通鍵よりも磁石によって磁化されにくい部材により構成されている、請求項１または請求項２に記載のシリンダ錠。
【請求項４】
前記回転盤または前記共通鍵よりも磁石によって磁化されにくい個別鍵によって、前記内筒は回転され、かつ前記回転盤は、回転されない、請求項１から請求項３のいずれか１つに記載のシリンダ錠。
【請求項５】
前記回転盤は、磁性体により構成され、
前記共通鍵は、前記鍵穴に挿入された状態で前記回転盤に対向する位置において、少なくとも磁性を有する、請求項１から請求項４のいずれか１つに記載のシリンダ錠。
【発明の詳細な説明】
【技術分野】
【０００１】
本発明は、シリンダ錠に関する。
【背景技術】
【０００２】
特許文献１には、外筒の前面壁に設けられた確認窓を介して、回動部材に設けられた表示部を表示して、特定キーコードの特定の鍵によって操作可能な状態にあることを提示する可変コード型シリンダ錠が開示されている。回動部材は、特定の鍵と係合して回転される。
【０００３】
特許文献１  特開２０１１−６９０８４号公報
【発明の概要】
【発明が解決しようとする課題】
【０００４】
上記のようなシリンダ錠において、特定の鍵と回動部材との係合部分の摩耗により、特定の鍵によって回動部材が回転しなくなる可能性がある。
【課題を解決するための手段】
【０００５】
本実施形態に係るシリンダ錠は、鍵穴を有する内筒と、内筒の正面側に配置される回転盤と、内筒および回転盤を回転可能に収容し、回転盤の一部を目視可能に露出する表示窓を有する外筒とを備え、回転盤は、鍵穴に挿入された共通鍵との間の磁力によって共通鍵と引き付け合い、内筒および回転盤は、共通鍵によって回転される。
【０００６】
上記シリンダ錠において、回転盤は、共通鍵が鍵穴に挿入されていない状態で、外筒内の第１の位置で支持されており、共通鍵が鍵穴に挿入されると、共通鍵との間の磁力によって第１の位置より共通鍵に近い第２の位置に移動してよい。
【０００７】
上記シリンダ錠において、内筒および外筒は、回転盤または共通鍵よりも磁石によって磁化されにくい部材により構成されている。
【０００８】
上記シリンダ錠において、回転盤または共通鍵により磁石によって磁化されにくい個別鍵によって、内筒は回転され、かつ回転盤は、回転されなくてよい。
【０００９】
上記シリンダ錠において、回転盤は、磁性体により構成され、共通鍵は、鍵穴に挿入された状態で回転盤に対向する位置において、少なくとも磁性を有してよい。
【００１０】
なお、上記の発明の概要は、本発明の特徴の全てを列挙したものではない。また、これらの特徴群のサブコンビネーションもまた、発明となりうる。
【図面の簡単な説明】
【００１１】
【図１】本実施形態に係るシリンダ錠の外観斜視図の一例を示す図である。
【図２】本実施形態に係るシリンダ錠の分解斜視図の一例を示す図である。
【図３Ａ】共通鍵が鍵穴に挿入された状態のシリンダ錠の断面図の一例を示す図である。
【図３Ｂ】図３Ａの破線１００で囲んだ部分の拡大図を示す図である。
【図４】個別鍵が鍵穴に挿入された状態のシリンダ錠の断面図の一例を示す図である。
【図５】回転盤の正面側から見た平面図の一例を示す図である。
【図６】鍵が鍵穴に挿入されていない状態のシリンダ錠を正面から見た図である。
【図７】共通鍵が鍵穴に挿入された状態のシリンダ錠の正面から見た図である。
【図８】鍵穴に挿入された共通鍵が軸線を中心に回転している途中の様子を示す図である。
【図９】回転盤と共通鍵との動きについて説明するための図である。
【図１０】回転盤と共通鍵との動きについて説明するための図である。
【図１１】回転盤と共通鍵との動きについて説明するための図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係るシリンダ錠１０の外観斜視図の一例を示す図である。シリンダ錠１０は、キーコードを変更可能なシリンダ錠である。シリンダ錠１０を開錠または施錠に用いられる鍵は、キーコードをリセット可能な共通鍵と、キーコードをリセット不可能な個別鍵とがある。
【００１４】
シリンダ錠１０は、例えば、遊技機に設けられる。遊技機は、例えば、枠、遊技機本体、およびカバーを備える。遊技機は、枠を介して遊技場の島設備に固定される。カバーは、遊技機本体に設けられた遊技盤を視認可能に覆う。
【００１５】
シリンダ錠１０は、例えば、遊技機本体に設けられ、枠に対する遊技機本体の施錠を行う。シリンダ錠１０は、遊技機本体に対するカバーの施錠をさらに行う。例えば、鍵がシリンダ錠１０に対して時計回りに回転されることで、シリンダ錠１０は、枠に対する遊技機本体の施錠状態を開錠状態にする。また、鍵がシリンダ錠１０に対して反時計回りに回転されることで、シリンダ錠１０は、遊技機本体に対するカバーの施錠状態を開錠状態にする。
【００１６】
シリンダ錠１０は、外筒２０および内筒３０を備える。外筒２０は、軸線を中心に内筒３０を回転可能に収容する。内筒３０は、鍵が挿入される鍵穴３１を有する。内筒３０は、鍵穴３１に挿入された鍵が時計回りまたは反時計回りに回転することに対応して、外筒２０の軸線を中心に時計回りまたは反時計回りに回転する。
【００１７】
図２は、本実施形態に係るシリンダ錠１０の分解斜視図の一例を示す図である。シリンダ錠１０は、外筒２０、内筒３０、回転盤３２、仕切り盤３４、およびリセットボタン３８を備える。
【００１８】
外筒２０は、外筒本体２２、取り付けフランジ２４、および背面カバー２６を有する。外筒本体２２は、内筒３０、回転盤３２、仕切り盤３４、およびリセットボタン３８を収容する。取り付けフランジ２４は、外筒本体２２と一体的に構成されてもよい。シリンダ錠１０は、取り付けフランジ２４を介して施錠対象の物体に固定される。シリンダ錠１０は、取り付けフランジ２４を介して例えば遊技機本体に固定される。
【００１９】
内筒３０は、鍵穴３１を含む。内筒３０は、鍵の回転に応じて外筒２０の軸線を中心に回転する。外筒２０の背面カバー２６は、内筒３０の出力軸３３を外部に露出した状態で、内筒３０の背面を覆う。出力軸３３は、外部の施錠ユニットと機械的に連結されている。出力軸３３が回転することに応じて施錠ユニットが施錠対象の開錠および施錠を行う。
【００２０】
ユーザは、共通鍵のキーコードに設定されているシリンダ錠１０に対して、鍵として、開錠可能なキーコードをリセット可能な共通鍵、またはキーコードをリセット不可能な個別鍵を用いて、シリンダ錠１０の開錠または施錠を行うことができる。ユーザは、キーコードをリセットする場合、例えば、リセットボタン３８を軸線と垂直な方向下方に押下しながら、共通鍵を用いて、キーコードをリセットさせるためのリセット位置に内筒３０を回転させる。リセット位置に内筒３０を回転させた後、ユーザは、鍵穴３１に新たな個別鍵を挿入して、内筒３０を再び施錠位置まで回転させることで、シリンダ錠１０のキーコードを新たな個別鍵に固有のキーコードに変更することができる。
【００２１】
回転盤３２は、開錠可能なキーコードを有する現在の鍵の種類、例えば共通鍵または個別鍵を示す目印を有する。回転盤３２は、外筒２０内の内筒３０の正面側に配置される。回転盤３２は、鍵穴３１に挿入された共通鍵により内筒３０とともに回転される。
【００２２】
仕切り盤３４は、内筒３０と回転盤３２との間に配置される。仕切り盤３４は、外筒本体２２に対して固定されており、外筒２０の軸線を中心に回転しない。仕切り盤３４は、開錠可能な個別鍵が鍵穴３１に挿入された状態で回転された場合に、内筒３０の回転に伴い、回転盤３２が回転することを防止する。
【００２３】
外筒本体２２は、正面に形成された外筒開口２３を有する。外筒開口２３は、鍵穴３１を露出する。外筒本体２２は、正面の外筒開口２３の周囲に表示窓２８を有する。表示窓２８は、開錠可能なキーコードを有する現在の鍵の種類、例えば共通鍵または個別鍵を示す目印として、回転盤３２の一部を表示する。
【００２４】
一般に、キーコードを変更可能なシリンダ錠１０が遊技機などに用いられる場合、シリンダ錠１０の出荷時においては、シリンダ錠１０のキーコードは、共通鍵のキーコードに設定されている。共通鍵は、複数のシリンダ錠１０に共通の鍵であるため、セキュリティが確保できない。そこで、遊技機の設置場所である遊技店において、遊技店固有の個別鍵を用いて、他店と異なるキーコードに変換することで、セキュリティを確保している。
【００２５】
個別鍵の紛失などにより、個別鍵のセキュリティが確保できなくなった場合には、シリンダ錠１０のキーコードをリセットした後、新たな個別鍵を用いて、新たなキーコードに設定する。これにより、個別鍵の紛失などが生じた場合にでもセキュリティを確保できる。
【００２６】
このように共通鍵と個別鍵とは、セキュリティレベルが異なることから、表示窓２８を介して、回転盤３２の一部を目視可能にすることで、開錠可能なキーコードを有する現在の鍵の種類を提示している。
【００２７】
回転盤３２は、個別鍵により回転しないように、外筒本体２２内に支持されている。共通鍵と回転盤３２とを係合させて回転させる場合、係合部分にある程度の負荷がかかる。したがって、回転盤３２が、共通鍵と係合して回転する構造の場合、共通鍵の多用により、回転盤３２または共通鍵の係合部分が摩耗する可能性がある。係合部分の摩耗により、回転盤３２が、共通鍵と係合して回転できなくなる可能性がある。したがって、共通鍵の係合部分の摩耗をより抑制することが望ましい。
【００２８】
そこで、本実施形態に係るシリンダ錠１０によれば、共通鍵と回転盤３２との係合部分の負担を低減すべく、回転盤３２は、鍵穴３１に挿入された共通鍵との間の磁力によって共通鍵と引き付け合い、回転盤３２と共通鍵とが引き付け合った状態で回転盤３２および内筒３０が、共通鍵によって回転する。これにより、回転盤３２または共通鍵の係合部分が摩耗することを抑制できる。よって、回転盤３２が、共通鍵と共に回転できなくなることを防止できる。
【００２９】
図３Ａは、共通鍵５０が鍵穴３１に挿入された状態のシリンダ錠１０の断面図の一例を示す。図３Ｂは、図３Ａの破線１００で囲んだ部分の拡大図を示す。共通鍵５０は、把手部５２と挿入部５４とを有する。挿入部５４は、共通鍵５０が鍵穴３１に挿入された状態において回転盤３２に対向する位置に共通鍵凸部５６を有する。本実施形態において、回転盤３２は、磁性体により構成されており、共通鍵５０の挿入部５４は、磁性を有している。つまり、挿入部５４は、磁石として機能する。ここで、磁性体とは、磁性を帯びることが可能な物質のことをいう。回転盤３２は、鉄などの強磁性体により構成されてよい。
【００３０】
回転盤３２は、共通鍵５０が鍵穴３１に挿入されていない状態で、外筒２０内の第１の位置で支持されており、共通鍵５０が鍵穴３１に挿入されると、共通鍵５０との間の磁力によって第１の位置より共通鍵５０に近い第２の位置に移動する。例えば、図３Ｂに示すように、共通鍵５０の挿入部５４が鍵穴３１に挿入されると、回転盤３２と共通鍵凸部５６とが磁力により引き付け合うことにより、回転盤３２が外筒２０内に支持された第１の位置から、回転盤３２の面方向に沿って図３Ｂに示す矢印方向に、共通鍵凸部５６と回転盤３２とが接触する第２の位置まで移動する。これにより、共通鍵５０が回転盤３２と共通鍵５０の挿入部５４の共通鍵凸部５６とが引き付け合った状態で回転盤３２および内筒３０が、共通鍵によって回転する。
【００３１】
なお、少なくとも共通鍵凸部５６が磁性を有していればよく、挿入部５４の全体が磁性を有していなくてもよい。また、回転盤３２が磁石として機能する磁性を有する素材で構成され、挿入部５４の少なくとも共通鍵凸部５６が磁性体により構成されていてもよい。シリンダ錠１０を構成する外筒２０および内筒３０などの回転盤３２以外の構成部材は、回転盤３２または共通鍵５０より磁石によって磁化されにくい素材に構成されることが好ましい。これらの構成部材は、磁性を有さない素材により構成されてよい。これらの構成部材は、磁石によって磁化されにくい反磁性体、常磁性体により構成されてよい。これらの構成部材は、いわゆる非磁性体により構成されてよい。これらの構成部材は、亜鉛ダイカストにより形成されてよい。
【００３２】
図４は、個別鍵６０が鍵穴３１に挿入された状態のシリンダ錠１０の断面図の一例を示す。個別鍵６０は、共通鍵５０と同様に、把手部６２および挿入部６４を有する。個別鍵６０の挿入部６４は、鍵穴３１に挿入部６４が挿入された状態において、回転盤３２に対向する位置に凸部を有さず、回転盤３２または共通鍵５０よりも磁化されにくい素材により構成されてよい。個別鍵６０の挿入部６４は、磁性を有さない素材により構成されてよい。鍵穴３１に個別鍵６０の挿入部６４が挿入された状態において、個別鍵６０の挿入部６４と回転盤３２との間には、共通鍵５０の挿入部５４と回転盤３２との間よりも広い隙間１０２がある。このように個別鍵６０が構成されることにより、個別鍵６０によって、内筒３０は回転される。一方、個別鍵６０は、磁性を有さず、凸部も有さないことから、回転盤３２は、個別鍵６０によって回転されない。
【００３３】
図５は、回転盤３２の正面側から見た平面図の一例を示す。回転盤３２は、鍵穴３１を露出するための回転盤開口３２１を有する。回転盤開口３２１には、回転盤３２の外側に向かって凹んでいる２つの回転盤凹部３２２が形成されている。共通鍵５０が鍵穴３１に挿入された場合、何れか一方の回転盤凹部３２２が、共通鍵５０の間の磁力により、共通鍵５０の共通鍵凸部５６と引き付け合う。これにより、共通鍵５０の回転に伴い回転盤３２が外筒２０の軸線を中心に回転する。個別鍵６０が鍵穴３１に挿入された場合、何れか一方の回転盤凹部３２２は、個別鍵６０の挿入部６４と引き付け合わず、個別鍵６０の回転に伴い回転盤３２は外筒２０の軸線を中心に回転しない。
【００３４】
回転盤３２は、回転盤開口３２１の周囲に表示部３２４を有する。表示部３２４は、シリンダ錠１０の現在の開錠可能なキーコードが個別鍵６０の場合、表示窓２８を介して目視可能に露出する。表示部３２４は、例えば、回転盤３２の表示部３２４に対応する領域の表面を個別鍵６０の把手部６２の色に対応した色で塗装することで、開錠可能なキーコードを有する現在の鍵の種類が個別鍵６０であることを示してもよい。
【００３５】
回転盤３２は、外周側に、円弧上の２つの弾性アーム３２５をさらに有する。弾性アーム３２５は、回転盤３２の外側に向かって突出している回転盤凸部３２６を有する。外筒本体２２の内壁には、回転盤凸部３２６を係止する回転盤用溝部が形成されている。
【００３６】
シリンダ錠１０が個別鍵６０により開錠可能な状態で、内筒３０が外筒２０に対して施錠位置にある場合、一方の弾性アーム３２５の回転盤凸部３２６が外筒２０の内壁の回転盤用溝部に係止され、他方の弾性アーム３２５は、外筒２０の内壁により回転盤３２の中心方向に押され内側に弾性変形する。シリンダ錠１０が共通鍵５０により開錠可能な状態で、内筒３０が外筒２０に対して施錠位置にある場合に、他方の弾性アーム３２５の回転盤凸部３２６が外筒２０の内壁の回転盤用溝部に係止され、一方の弾性アーム３２５は、外筒２０の内壁により回転盤３２の中心方向に押され内側に弾性変形する。
【００３７】
図６は、鍵が鍵穴３１に挿入されていない状態のシリンダ錠１０を正面から見た図である。図６では、説明のために、回転盤３２は、実線で示しているが、実際には、回転盤３２は、表示窓２８の対向する部分以外の部分は、外筒本体２２の正面部によって覆われている。図７から図１１についても同様である。
【００３８】
回転盤３２は、鍵が鍵穴３１に挿入されていない状態では、少なくとも一方の外筒本体２２の内側に形成された回転盤用溝部に、少なくとも一方の回転盤凸部３２６が係合し、外筒本体２２内の第１の位置で支持されている。この状態では、回転盤３２の一方の回転盤凹部３２２と鍵穴３１との間には、正面側から見て、図６の矢印で示すような隙間がある。このような隙間があることで、鍵穴３１に共通鍵５０または個別鍵６０が挿入される際に、挿入部５４，６４と回転盤３２の回転盤凹部３２２とが接触しない。よって、共通鍵５０または個別鍵６０が鍵穴３１に抜き差しされることが繰り返されることで、挿入部５４，６４および回転盤３２の回転盤凹部３２２が摩耗することを防止できる。
【００３９】
図７は、共通鍵５０が鍵穴３１に挿入された状態のシリンダ錠１０の正面から見た図である。共通鍵５０が鍵穴３１に挿入されると、共通鍵凸部５６の磁力により、回転盤凹部３２２が回転盤３２の面に沿って引き付けられる。このとき、弾性アーム３２５は、外筒２０の内壁により回転盤３２の中心方向に押下され内側に弾性変形し、回転盤３２は、回転盤３２の面方向に沿って図７に示す矢印方向に移動する。これにより、共通鍵凸部５６が回転盤凹部３２２に吸着する。
【００４０】
図８は、鍵穴３１に挿入された共通鍵５０が軸線を中心に回転している途中の様子を示す。鍵穴３１に共通鍵５０が挿入されている場合、共通鍵５０の挿入部５４と回転盤３２とが磁力により引き付け合った状態で、回転盤３２は、内筒３０とともに軸線を中心に回転する。
【００４１】
ここで、図９に示すように、共通鍵凸部５６および回転盤凹部３２２が摩耗などにより擦り減っていたとする。この場合、共通鍵凸部５６と回転盤凹部３２２とを係合させて回転させる場合には、図１０に示すように、共通鍵凸部５６と回転盤凹部３２２と係合せずに、回転盤３２が内筒３０とともに軸線を中心に回転しない可能性がある。
【００４２】
一方、本実施形態に係るシリンダ錠１０によれば、共通鍵５０の挿入部５４と回転盤３２とは磁力により引き付け合うので、たとえ共通鍵凸部５６および回転盤凹部３２２が摩耗などにより擦り減っていたとしても、図１１に示すように、共通鍵５０の挿入部５４と回転盤３２とが磁力により引き付け合うことにより、回転盤３２は、内筒３０とともに軸線を中心に回転することができる。
【００４３】
なお、共通鍵５０の挿入部５４と回転盤３２とは磁力により引き付け合うので、回転盤開口３２１には、回転盤凹部３２２が形成されていなくてもよい。回転盤開口３２１に共通鍵５０の挿入部５４と係合する回転盤凹部３２２などの係合部分が形成されていないことで、磁性を有さない個別鍵６０の挿入部５４の一部分が回転盤３２の係合部分と不正に係合して、回転盤３２が回転してしまうことをより確実に防止できる。
【００４４】
以上、本実施形態に係るシリンダ錠１０によれば、共通鍵５０と回転盤３２との係合部分の摩耗により、共通鍵５０によって回転盤３２が回転しなくなることを防止できる。よて、開錠可能なキーコードを有する現在の鍵の種類を表示窓２８から正確に表示することができ、よりセキュリティを確保したシリンダ錠１０を提供できる。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４７】
１０  シリンダ錠
２０  外筒
２２  外筒本体
２３  外筒開口
２４  取り付けフランジ
２６  背面カバー
２８  表示窓
３０  内筒
３１  鍵穴
３２  回転盤
３３  出力軸
３４  仕切り盤
３８  リセットボタン
５０  共通鍵
５２  把手部
５４  挿入部
５６  共通鍵凸部
６０  個別鍵
６２  把手部
６４  挿入部
３２１  回転盤開口
３２２  回転盤凹部
３２４  表示部
３２５  弾性アーム
３２６  回転盤凸部
【図１】
2015140557.tif 000003
【図２】
2015140557.tif 000004
【図３Ａ】
2015140557.tif 000005
【図３Ｂ】
2015140557.tif 000006
【図４】
2015140557.tif 000007
【図５】
2015140557.tif 000008
【図６】
2015140557.tif 000009
【図７】
2015140557.tif 000010
【図８】
2015140557.tif 000011
【図９】
2015140557.tif 000012
【図１０】
2015140557.tif 000013
【図１１】
2015140557.tif 000014